(57)【特許請求の範囲】
【請求項１】
電池を収納する電池収納部と、
上記電池収納部を開閉する、本体に対して着脱自在の電池蓋と、を備えた電池駆動機器において、
上記電池蓋には、外周面に突起部が形成された円筒形状の回転子が回転自在に取り付けられており、
上記電池収納部には、上記回転子が挿入される筒部が形成されており、
該筒部の内周面に、上記回転子の突起部を受けるテーパ形状の案内溝を形成した電池駆動機器。
【請求項２】
上記電池蓋には、上記電池収納部との当接面にパッキンが取り付けられている請求項１に記載の電池駆動機器。
【請求項３】
上記筒部の内周面に形成した上記テーパ形状の案内溝は、一方の端部が上記回転子の突起部を係止する形状である請求項１または２に記載の電池駆動機器。
【請求項４】
上記電池蓋には、上記回転子の回転を規制するロック部材が設けられている請求項１〜３のいずれかに記載の電池駆動機器。
【発明の詳細な説明】
【０００１】
【発明の属する技術分野】
この発明は、テレビ、エアコン等の電子機器を遠隔操作するリモコン装置や、ラジオ、カセットテープレコーダ等の電子機器等、電池で本体を動作させる電池駆動機器に関する。
【０００２】
【従来の技術】
従来、電池で本体を動作させる電池駆動機器があった。例えば、テレビ、エアコン等の電子機器を遠隔操作するリモコン装置や、ラジオ、カセットテープレコーダ等の電子機器があった。なお、ここで言う電池駆動機器には電池だけでなく、商用電源等の他の電源でも本体を動作させることができる多電源方式のものも含む。
【０００３】
図９に、従来の一般的な電池駆動機器を示す。電池駆動機器５０は、本体に電池を収納する電池収納部５１、および該電池収納部５１を開閉する電池蓋５２が設けられていた。なお、図９（Ａ）は本体に電池蓋が取り付けられている状態であり、図９（Ｂ）は本体から電池蓋を取り外した状態である。
【０００４】
従来の電池駆動機器５０は図９に示すように、本体に設けられた電池収納部５１を開閉する電池蓋５２を備えていた。電池蓋５２には、回転子５３が回転自在に取り付けられており、電池収納部５１には上記回転子５３を挿入する筒部５４が形成されている。回転子５３の下端部には突起部５３ａが形成されており、筒部５４の内周面には該突起部５３ａに合わせた形状の案内溝５４ａが形成されている。
【０００５】
図１０に案内溝の形状を示す。図１０（Ａ）は案内溝の上面図であり、図１０（Ｂ）は図１０（Ａ）におけるＡ−Ａ線部の断面図であり、図１０（Ｃ）は図１０（Ａ）におけるＢ−Ｂ線部の断面図である。案内溝５４ａは、図示するように略Ｌ字型である
電池蓋５２の取り付けは、回転子５３の突起部５３ａを筒部５４の案内溝５４ａに位置させて回転子５３を筒部５４に挿入し、さらに電池蓋５２を電池収納部５１の開口面に合わせる。このとき回転子５３の突起部５３ａがＬ字型の案内溝５４ａのコーナに位置する。この状態で、電池蓋５２に取り付けられている回転子５３を約９０度回転させる。これにより、回転子５３の突起部５３ａが案内溝５４ａに沿って筒部５４の周方向に移動する。したがって、電池蓋５２の取付面を下側にしても突起部５３ａが案内溝５４ａから抜け落ちることがない（電池蓋５２が本体５０から外れない。）。
【０００６】
また、本体から電池蓋５２を取り外すときには、上述の取付作業を逆に行えばよい。
【０００７】
【発明が解決しようとする課題】
しかしながら、従来の電池駆動機器は電池蓋５２を取り外すとき、回転子５３を回転させて突起部５３ａをＬ字型の案内溝５４ａのコーナに位置させても、該電池蓋５２の上面と本体の上面とが略同じ高さであるので、電池蓋５２を掴んで本体から上方に引き上げることができなかった。そこで、電池蓋５２の取付面を下側にし、本体を上下に振って電池蓋５２を本体から取り外していた。このため、電池蓋５２の取り外しに手間がかかり、電池交換作業等が煩雑であった。
【０００８】
この発明の目的は、本体からの電池蓋の取り外しが簡単に行える電池駆動機器を提供することにある。
【０００９】
【課題を解決するための手段】
この発明の電池駆動機器は、上記課題を解決するために以下の構成を備えている。
【００１０】
（１）電池を収納する電池収納部と、
上記電池収納部を開閉する、本体に対して着脱自在の電池蓋と、を備えた電池駆動機器において、
上記電池蓋には、外周面に突起部が形成された円筒形状の回転子が回転自在に取り付けられており、
上記電池収納部には、上記回転子が挿入される筒部が形成されており、
該筒部の内周面に、上記回転子の突起部を受けるテーパ形状の案内溝を形成した。
【００１１】
上記構成では、電池蓋に取り付けられている回転子を回転させると、該回転子に形成されている突起部がテーパ形状の案内溝に沿って上下方向に移動するので、回転子およびこの回転子が取り付けられている電池蓋も本体に対して上下動する。
【００１２】
ここで、案内溝の形状を、本体から電池蓋を取り外す方向に回転子を回転させたとき、電池蓋が上方に移動するテーパ形状にしておけば、電池蓋を取り外す方向に回転子を回転させると電池蓋が本体の上面よりも上方に位置する。このため、従来のように電池蓋の取付面を下側にして本体を上下に振らなくても、電池蓋を掴んで本体から簡単に取り外すことができる。
【００１３】
また、上記電池蓋に、上記電池収納部との当接面にパッキンを取り付ければ、十分な防水性が得られる。
【００１４】
また、上記筒部の内周面に形成した上記テーパ形状の溝の一方の端部が上記突起部を係止する形状としたので、本体の使用時に回転子が回転して電池蓋が本体から外れるのを抑えることができる。
【００１５】
さらに、上記電池蓋に、上記回転子の回転を規制するロック部材を設けたので、本体の使用時に回転子が回転して電池蓋が本体から外れるのを防止できる。
【００１６】
【発明の実施の形態】
図１は、この発明の実施形態である電池駆動機器の外観を示す図である。ここで言う、電池駆動機器とは電池で本体を動作させることができる機器であり、多電源方式の機器も含む。電池駆動機器には、例えば、テレビ、エアコン等の電子機器を遠隔操作するリモコン装置や、携帯型のラジオやテープレコーダがある。図１（Ａ）は電池駆動機器本体に電池蓋を取り付けた状態を示しており、図１（Ｂ）は電池駆動機器本体から電池蓋を取り外した状態を示している。
【００１７】
この実施形態の電池駆動機器１には、本体を動作させるための電池を収納する電池収納部２が設けられている。３は電池収納部２を蓋する電池蓋であり、該電池蓋３は本体１に対して着脱自在である。
【００１８】
電池収納部２には、開口部の周囲に電池蓋３を受ける段差５が形成されており、電池蓋３を本体１に取り付けたとき、本体１の表面と電池蓋３の表面とが略同じ高さになる。また、電池収納部２の略中心には筒部６が形成されている。この筒部６については後述する。
【００１９】
電池蓋３は、図２に示す蓋材１１に図３に示す回転子１５を取り付けたものである。図２（Ａ）は蓋材の上面図であり、図２（Ｂ）は図２（Ａ）におけるＡ−Ａ線部の断面図である。蓋材１１は、略中心に開口部１２が形成されている。また、蓋材１１の内面の周囲にはゴム性のパッキン１３が設けられている。このパッキン１３は、電池蓋３を本体１に取り付けたとき、電池収納部２の段差５に当接する。また、開口部１２は、下端部の形状が図２（Ｂ）に示すように断面コの字型の形状である。
【００２０】
図３（Ａ）は回転子の側面図であり、図３（Ｂ）は回転子の上面図である。回転子１５は下端部に突起部１６ａ、１６ｂが設けられている。また、図には示されていないが、上端にくびれが形成されており、このくびれにＯリング１７が取り付けられている。回転子１５の頭には溝１８が形成されている。
【００２１】
図４に、上述した蓋材１１に回転子１５を取り付けた電池蓋３の側面断面図を示す。回転子１５は蓋材１１の開口部１２に回転自在に取り付けられている。また、図示するように開口部１２の断面コの字型の形状部分にＯリング１７を嵌合させている。これにより、回転子１５が蓋材１１に対して上下に移動するのを制限している。
【００２２】
また、回転子１５の頭に形成されている溝１８にコインを挿入し、該コインを回すことで、回転子１５を蓋材１１に対して回転させられる。
【００２３】
次に、電池収納部２に形成されている筒部６について詳細に説明する。図５（Ａ）は筒部の上面図であり、図５（Ｂ）は図５（Ａ）におけるＡ−Ａ方向の断面図、図５（Ｃ）は図５（Ａ）におけるＢ−Ｂ方向の断面図である。筒部６は、電池蓋３を本体１に取り付けたとき、該電池蓋３の回転子１５が挿入される位置、すなわち電池収納部２の略中心、に形成されている。また、筒部６の内周面には、回転子１５の突起部１６ａ、１６ｂが嵌まる案内溝２１（２１ａ、２１ｂ）が形成されている。
【００２４】
図６は、筒部の内周面に形成されている案内溝を平面的に示した図である。案内溝２１は、図示するように該筒部６の内周面に沿って、筒部６の上端部から下端部に向けてテーパ形状に形成されている。
【００２５】
回転子１５の突起部１６（１６ａ、１６ｂ）は、該回転子１５を回転させたとき、案内溝２１に沿って図示するＡ方向またはＢ方向に移動する。案内溝２１の後端部は、回転子１５の突起部１６（１６ａ、１６ｂ）を係止できるように、案内溝２１の最下端位置よりもＴだけ上方に位置させている。
【００２６】
回転子１５を所定の方向に回転させると、突起部１６は図に示すＡ方向に移動し、最終的に案内溝２１の後端部で係止される。また、突起部１６が案内溝２１の後端部に係止されている状態で回転子１５を上記所定の方向とは逆の方向に回転させると、該突起部１６は案内溝２１による係止状態が解除され、図に示すＢ方向に移動する。
【００２７】
次に、本体１に対する電池蓋３の取り付け、および取り外し作業について説明する。まず本体に対する電池蓋３の取り付け作業について説明する。図１（Ｂ）に示す状態の本体１に対して電池蓋３の回転子１５の下端部を筒部６に挿入する。このとき、突起部１６ａ、１６ｂは案内溝２１ａ、２１ｂに位置させている。また、電池蓋３が電池収納部２の開口面に一致するように調整している。
【００２８】
この状態で、回転子１５の頭に形成されている溝１８にコインを挿入し、該回転子１５を所定の方向に回転させる。
【００２９】
回転子１５を所定の方向に回転させると、突起部１６ａ、１６ｂが案内溝２１ａ、２１ｂに沿って図６に示すＡ方向に移動する。このとき、突起部１６ａ、１６ｂは案内溝２１ａ、２１ｂに沿って下方、すなわち本体１内側、にも移動している。電池蓋３は上述のように回転子１５が蓋材１１に対して上下方向の移動するのを制限した構成である。したがって、回転子１５が取り付けられている電池蓋３が本体１側に移動する。案内溝２１の後端部において、突起部１６ａ、１６ｂが係止されると、本体１に対する電池蓋３の取り付けが完了する。このとき、電池蓋３の上面と本体１の上面とは略同じ高さになっている（図１（Ａ）に示す状態になる。）。
【００３０】
このように、本体１に対する電池蓋３の取り付けは、本体１に対して電池蓋３の位置を合わせた後、回転子１５をコインで回転させるという簡単な作業である。
【００３１】
また、本体１に対する電池蓋３の取り付けが完了したとき、突起部１６ａ、１６ｂが案内溝２１の後端部で係止されているので、本体１の使用時等に回転子１５が回転するのを抑えられる。これにより、本体１の使用時に不意に電池蓋３が本体から外れるのを防止することができる。
【００３２】
さらに、電池蓋３の内側に設けたパッキン１３が電池収納部２の段差５に当接しており、電池収納部２と電池蓋３との隙間から本体１内部に水が入るのを防止できる。したがって、十分な防水効果が得られる。
【００３３】
次に、電池蓋３の取り外し作業について説明する。上述のように図１（Ａ）に示す状態が、本体１に電池蓋３が取り付けられた状態である。この状態で回転子１５の溝１８にコインを挿入し、該回転子１５を上述した取り付け時とは逆の方向に回転させる。回転子１５の突起部１６ａ、１６ｂが案内溝２１に係止されているので、この係止状態を解除するため、最初だけ少し大きな力を加えればよい。
【００３４】
突起部１６ａ、１６ｂは、回転子１５の回転にともなって、案内溝２１ａ、２１ｂに沿って図６に示すＢ方向に移動する。このとき、突起部１６ａ、１６ｂは案内溝２１ａ、２１ｂに沿って上方、すなわち本体１外側、に移動する。このため、回転子１５が取り付けられている電池蓋３は、本体１外側に側に押し上げられ、図７に示すように電池蓋３が本体１の上面よりも上方に突出した状態になる。したがって、電池蓋３の側面を掴んで、該電池蓋３を本体１から簡単に取り外すことができる。
【００３５】
このように、本体１に対する電池蓋３の取り付け、および取り外しが簡単に行えるので、電池交換作業の作業性を向上させることができる。
【００３６】
また、上記実施形態では案内溝２１ａ、２１ｂの後端部において突起部１６ａ、１６ｂを係止させるとしたが、図８に示すように蓋材１１にスライド自在のロック部材３１を設け、回転子１５の頭の一部に該ロック部材３１が嵌まる切欠部３２を設けてもよい。ロック部材３１は、図中に矢示する方向にスライド自在である。回転子１５は、図８（Ａ）に示す状態であるとき蓋材１１に対する回転が規制されておらず、図８（Ｂ）に示す状態であるとき蓋材１１に対する回転が規制されている。
【００３７】
ロック部材３１と切欠部３２との位置関係は、電池蓋３を本体１に取り付けたとき、スライドさせたロック部材３１が切欠部３２に嵌まるようにしておけばよい。
【００３８】
【発明の効果】
以上のように、この発明によれば、本体に対する電池蓋の取り付け、および取り外しが簡単に行えるので、電池交換の作業性を向上させることができる。
【００３９】
また、電池蓋と電池収納部との当接面にパッキンを取り付けたので、十分な防水効果が得られる。
【００４０】
また、案内溝で回転子の突起部を係止するようにしたので、本体の使用時に電池蓋が本体から外れるのを抑えることができる。
【００４１】
さらに、回転子の回転を規制するロック部材を設けたので、本体の使用時に電池蓋が本体から外れるのを防止することができる。
【図面の簡単な説明】
【図１】この発明の実施形態である電池駆動機器を示す図である。
【図２】この発明の実施形態である電池駆動機器の蓋材を示す図である。
【図３】この発明の実施形態である電池駆動機器の回転子を示す図である。
【図４】この発明の実施形態である電池駆動機器の電池蓋を示す図である。
【図５】この発明の実施形態である電池駆動機器の筒部を示す図である。
【図６】この発明の実施形態である電池駆動機器の筒部に形成されている案内溝の形状を示す図である。
【図７】この発明の実施形態である電池駆動機器における電池蓋３の取り外しを説明する図である。
【図８】この発明の別の実施形態である電池駆動機器の電池蓋を示す図である。
【図９】従来の電池駆動機器を示す図である。
【図１０】従来の電池駆動機器における案内溝の形状を示す図である。
【符号の説明】
１−本体（電池駆動機器）
２−電池収納部
３−電池蓋
５−段差
６−筒部
１１−蓋材
１３−パッキン
１５−回転子
１６ａ、１６ｂ−突起部
２１−案内溝
３１−ロック部材
３２−切欠部
【図１】
0003688580.tif 000002
【図２】
0003688580.tif 000003
【図３】
0003688580.tif 000004
【図４】
0003688580.tif 000005
【図５】
0003688580.tif 000006
【図６】
0003688580.tif 000007
【図７】
0003688580.tif 000008
【図８】
0003688580.tif 000009
【図９】
0003688580.tif 000010
【図１０】
0003688580.tif 000011